(57)【要約】本発明は、アップリンクチャネル（１７）およびダウンリンク（１６）と通して１または２以上のユーザ装置（１８）と通信する通信ネットワークノード（１０；１５）を備える通信ネットワークシステムにおいて無線資源の効率よい活用を可能にする方法および構成に関する。ユーザ装置（１８）は、上記アップリンクチャネル（１７）におけるＥ‐ＴＦＣＩフィールドなどの所定のフィールドを用いて、ユーザ装置（１８）における電力不足問題の情報を上記通信ネットワークノードに提供し、上記通信ネットワークノード（１０；１５）は、使用可能な無線資源に関する所定の行動をとることが可能となる。【選択図】図１
2010532625.tif 000002
【特許請求の範囲】
【請求項１】
アップリンクチャネル（１７、２４、２５）およびダウンリンクチャネル（１６）上の無線インタフェースを通して１または２以上のユーザ装置（１８）と通信する通信ネットワークノード（１０；１５）を備える通信ネットワークシステムにおいて無線資源を効率よく活用可能にする方法であって、
前記アップリンクチャネルにおける所定のフィールドを用いて、ユーザ装置における電力不足問題の情報を前記通信ネットワークノードに提供するステップを含み、前記通信ネットワークノードが、使用可能な無線資源に関する所定の行動をとることが可能となることを特徴とする方法。
【請求項２】
前記通信ネットワークノードへデータを送信するステップと、
前記ユーザ装置における電力不足状況を検出するステップと、
電力不足問題を信号通知する前記所定のフィールドを変更するステップと、
前記データを再送するステップであって、前記再送は変更した前記所定のフィールドを含むステップと
をさらに含むことを特徴とする、請求項１に記載の方法。
【請求項３】
前記電力不足問題は、前記所定のフィールド上で固有のパターンを用いて信号通知されることを特徴とする、請求項２に記載の方法。
【請求項４】
前記電力不足問題は再送ごとに信号通知されることを特徴とする、請求項３に記載の方法。
【請求項５】
目標送信試行を予測するステップと、
推定送信数が送信されたら、電力不足問題を信号通知する前記所定のフィールドを変更するステップと、
前記データを再送するステップであって、前記再送は変更した前記所定のフィールドを含むステップと
をさらに含むことを特徴とする、請求項２に記載の方法。
【請求項６】
前記電力不足問題は、前記所定のフィールドのすべてを用いて信号通知されることを特徴とする、請求項２に記載の方法。
【請求項７】
前記所定のフィールドで最上位ビット（ＭＳＢ）をトグルし、残りのビットを用いて電力不足のレベルを示すステップをさらに含むことを特徴とする、請求項６に記載の方法。
【請求項８】
前記所定のフィールドで最上位ビット（ＭＳＢ）をトグルし、所定数のビットを用いて前記ユーザ装置がいくつ追加送信を用いるつもりか報告し、残りのビットを用いて電力不足のレベルを示すステップをさらに含むことを特徴とする、請求項６に記載の方法。
【請求項９】
前記所定のフィールドは、拡張専用物理制御チャネル（Ｅ‐ＤＰＣＣＨ）の拡張専用チャネル伝送フォーマット結合インジケータ（Ｅ‐ＴＦＣＩ）であることを特徴とする、請求項１〜８のいずれか１項に記載の方法。
【請求項１０】
前記拡張専用チャネル伝送フォーマット結合インジケータフィールドは、送信された前記データの復号の仕方に関する情報を前記通信ネットワークに与えるために、再送シーケンス番号（ＲＳＮ）をさらに含むことを特徴とする、請求項９に記載の方法。
【請求項１１】
アップリンクチャネル（１７、２４、２５）およびダウンリンクチャネル（１６）上の無線インタフェースを通して１または２以上のユーザ装置（１８）と通信する通信ネットワークノード（１０；１５）を備える通信ネットワークシステムにおいて無線資源を効率よく活用可能にする構成であって、
前記アップリンクチャネル（１７、２４、２５）における所定のフィールドを用いて、ユーザ装置における電力不足問題の情報を前記通信ネットワークノードに提供する手段（５１、５５、５６）を備え、
前記通信ネットワークノードが、使用可能な無線資源に関する所定の行動をとることが可能となるステップを含むことを特徴とする構成（５３）。
【請求項１２】
前記通信ネットワークノード（１０；１５）へデータを送信する手段（５１）と、
前記ユーザ装置（１８）における電力不足状況を検出する手段（５５）と、
電力不足問題を信号通知する前記所定のフィールドを変更する手段（５７）と、
前記データを再送する手段（５１）であって、前記再送は変更した前記所定のフィールドを含む手段（５１）と
をさらに備えることを特徴とする、請求項１１に記載の構成（５３）。
【請求項１３】
前記所定のフィールド上で固有のパターンを用いて、前記電力不足問題を信号通知することを特徴とする、請求項１２に記載の構成（５３）。
【請求項１４】
再送ごとに前記電力不足問題を信号通知することを特徴とする、請求項１３に記載の構成（５３）。
【請求項１５】
目標送信試行を予測する手段（５７）と、
推定送信数が送信されたら、電力不足問題を信号通知する前記所定のフィールドを変更する手段（５６）と、
前記データを再送する手段（５１）であって、前記再送は変更した前記所定のフィールドを含む手段（５１）と
をさらに備えることを特徴とする、請求項１２に記載の構成（５３）。
【請求項１６】
前記所定のフィールドのすべてを用いて、前記電力不足問題を信号通知することを特徴とする、請求項１２に記載の構成（５３）。
【請求項１７】
前記所定のフィールドで最上位ビット（ＭＳＢ）（３２）をトグルし、残りのビット（３３）を用いて電力不足のレベルを示す手段（５６）をさらに備えることを特徴とする、請求項１６に記載の構成（５３）。
【請求項１８】
前記所定のフィールドで最上位ビット（ＭＳＢ）（３２）をトグルし、所定数のビット（３４）を用いて前記ユーザ装置（１８）がいくつ追加送信を用いるつもりか報告し、残りのビット（３３）を用いて電力不足のレベルを示す手段（５６）をさらに含むことを特徴とする、請求項１６に記載の構成（５３）。
【請求項１９】
前記所定のフィールドは、拡張専用物理制御チャネル（Ｅ‐ＤＰＣＣＨ）（２５）の拡張専用チャネル伝送フォーマット結合インジケータ（Ｅ‐ＴＦＣＩ）であることを特徴とする、請求項１１〜１８のいずれか１項に記載の構成（５３）。
【請求項２０】
前記拡張専用チャネル伝送フォーマット結合インジケータフィールドは、送信された前記データの復号の仕方に関する情報を前記通信ネットワークノード（１０；１５）に与えるために、再送シーケンス番号（ＲＳＮ）をさらに含むことを特徴とする、請求項１９に記載の構成（５３）。
【請求項２１】
請求項１１〜２０のいずれか１項に記載の構成を備えることを特徴とするユーザ装置。
【発明の詳細な説明】
【技術分野】
【０００１】
本発明は、通信ネットワークシステムにおける方法および構成に関し、特に、無線資源を効率よく活用できるようにすることを可能とする構成、および無線資源を効率よく活用できるようにする方法に関する。
【背景技術】
【０００２】
拡張アップリンクの現行システムおよび機能の記載については、３ＧＰＰ仕様書において、レート選択の複雑な機構についてユーザ装置（ＵＥ：ｕｓｅｒ  ｅｑｕｉｐｍｅｎｔ）の視点から説明されている。ＵＥについては、「システム許容レート（ｓｙｓｔｅｍ  ｇｒａｎｔｅｄ  ｒａｔｅ）」または「電力消費に基づくＵＥ評価の最大レート（ＵＥ  ｅｖａｌｕａｔｅｄ  ｍａｘｉｍｕｍ  ｒａｔｅ  ｂａｓｅｄ  ｏｎ  ｐｏｗｅｒ  ｃｏｎｓｕｍｐｔｉｏｎｓ）」から選ばれる最小レートを用いるべきであるというのが基本である。
【０００３】
ＵＥは、自らの最大Ｔｘ電力の制限を受ける場合、電力不足の状況に陥らないようにためには、どちらのレートをサポートできるか評価しなければならない（ＵＥは、電力なのかまたは許容制限なのか見出すために、かかる評価を常に行う）。電力不足の状況とは、選択したブロックを送信する電力がＵＥにないということである。すなわち、ＵＥはある拡張専用チャネル伝送フォーマット結合（Ｅ‐ＴＦＣ：ｅｎｈａｎｃｅｄ  ｄｅｄｉｃａｔｅｄ  ｃｈａｎｎｅｌ  ｔｒａｎｓｐｏｒｔ  ｆｏｒｍａｔ  ｃｏｍｂｉｎａｔｉｏｎ）の送信に失敗こそしなかったとはいえ、伝送ブロックは、ＮｏｄｅＢが送信を正しく検出できないほど低い電力で送信されるのである。
【０００４】
ＵＥが電力不足を把握し始めた場合、長期的（好ましい）解決手段としては、使用可能な電力が適当な送信に十分なものとなるよう、用いていたＥ‐ＴＦＣを変更するというのがある。これについては、完遂するのにいくらか送信時間（ＴＴＩ：ｔｒａｎｓｍｉｓｓｉｏｎ  ｔｉｍｅ  ｉｎｔｅｒｖａｌ）がかかる。このような実行時間中、ＵＥは、拡張専用物理データチャネル（Ｅ‐ＤＰＤＣＨ：Ｅｎｈａｎｃｅｄ  ｄｅｄｉｃａｔｅｄ  ｐｈｉｓｉｃａｌ  ｄａｔａ  ｃｈａｎｎｅｌ）への電力割当を一時的に減らし始める。
【０００５】
Ｅ‐ＴＦＣ評価は、専用物理制御チャネル（ＤＰＣＣＨ：ｄｅｄｉｃａｔｅｄ  ｐｈｙｓｉｃａｌ  ｃｏｎｔｒｏｌ  ｃｈａｎｎｅｌ）に使用電力と、存在する伝送フォーマット（Ｅ‐ＴＦＣ）ごとの電力オフセット値βｅｄとに基づいて行われる。ＤＰＣＣＨ電力βｅｄに基づいて、ＵＥは、どのＥ‐ＴＦＣをサポートできるか評価する。中間一時的電力削減は、βｅｄ因子をスロット単位で減らして行う。
【０００６】
別の関連機能としては、外側ループ電力制御部（ＯＬＰＣ：ｏｕｔｅｒ‐ｌｏｏｐ  ｐｏｗｅｒ  ｃｏｎｔｒｏｌ）がある。拡張アップリンク（ＥＵＬ：ｅｎｈａｎｃｅｄ  ｕｐｌｉｎｋ）においてＯＬＰＣへ入力されるのは、送信試行（ＴＡ：Ｔｒａｎｓｍｉｓｓｉｏｎ  Ａｔｔｅｍｐｔ）数の情報である。送信試行が目標数を超えると、ＯＬＰＣアップステップが実行される。送信試行が最大数を超えると、無線リンク制御（ＲＬＣ：ｒａｄｉｏ  ｌｉｎｋ  ｃｏｎｔｒｏｌ）再送が行われる。無線ネットワーク制御装置（ＲＮＣ：ｒａｄｉｏ  ｎｅｔｗｏｒｋ  ｃｏｎｔｒｏｌｌｅｒ）がＴＡ数の情報を入手可能であるのは、ブロックを正しく受信した場合か、またはハイブリッド自動再送要求（ＨＡＲＱ：ｈｙｂｒｉｄ  ａｕｔｏｍａｔｉｃ  ｒｅｐｅａｔ  ｒｅｑｕｅｓｔ）についてブロック復号が不完全である場合、すなわちＴＡが最大数となった後もブロックが未復号のままである場合かである。ブロックがＨＡＲＱで不正確に受信されるＴＴＩでは、ＯＬＰＣへメッセージは送信されない。当該ＴＴＩにおいては、ＯＬＰＣは対処すべき情報がないため、何も行わないこととなる。
【０００７】
ＵＥは、使用可能なもの以上の許容がある場合、電力不足に陥らずに使用できるフォーマットはどれかという自らの評価を信用しなければならない。ＵＥは間違った評価をすると電力不足になり、送信が余分に必要となる（すなわち目標送信数よりも送信が多くなる）ことが多いため、ＵＥが正しい評価をすることが重要である。目標送信数に達していない場合には、ＯＬＰＣは目標信号対干渉比（ＳＩＲ：ｓｉｇｎａｌ‐ｔｏ‐ｉｎｔｅｒｆｅｒｅｎｃｅ  ｒａｔｉｏ）を増加させる。
【０００８】
より具体的には、ＵＥが電力不足だと、最初のＴＡ（ここでは例として、目標送信を１送信とする）を乗り切ることができないことが多く、ＯＬＰＣによって目標ＳＩＲを増加させることとなる。次のＴＴＩになる境目で、伝送ブロック（ＴＢ：ｔｒａｎｓｐｏｒｔ  ｂｌｏｃｋ）サイズをＥ‐ＴＦＣ選択機能で新たに選択し、ブロックごとに必要電力推定を行う。それでも電力不足ならば、最小Ｅ‐ＴＦＣが選択されるまで「電力の欠乏」→「ＯＬＰＣアップステップ」→「目標ＳＩＲの増加」→「Ｅ‐ＴＦＣを新たに設定」というループを続けることもある。ＵＥが使用可能な最小Ｅ‐ＴＦＣで送信を行っているため、潜在的に状況を改善可能なさらに小さなフォーマットを選択不可能である場合は、問題が深刻である。このような時間は、目標ＳＩＲを数ｄＢ増加させてもよい。必要以上にＳＩＲレベルを高くすると、システムのスループットに影響があるのだが、より不安なのはエンドユーザのスループットにも深刻な影響があるということである。
【０００９】
例えば短時間データ送信を行えるだけの電力しかないなど、ＵＥが滅多にデータ送信を行わないという極端な場合には、望ましくないのだが、目標ＳＩＲが急激に増加する可能性がある。その結果、制御チャネルへの電力割当が増加してしまい、ＵＥがデータを再送することがさらに困難になってしまう。
【００１０】
目標ＳＩＲが１（または何倍か）上昇した、すなわち予想ＳＩＲ目標値にマージンがあるというところで、電力不足では、ＵＥが別のＥ‐ＴＦＣの送信を試みようとすると、かかる上昇／マージンが十分ではないことが判明することもある。言い換えれば、現行のＥ‐ＴＦＣ選択機構にＯＬＰＣを組み合わせるのは、最適ではないということである。
【００１１】
現在は、電力ヘッドルーム報告、すなわちアップリンク（ＵＬ）スケジューリング情報における「ＵＥ電力ヘッドルーム（ＵＰＨ：ＵＥ  Ｐｏｗｅｒ  Ｈｅａｄｒｏｏｍ）」によって、ＵＥは電力の状況をＮｏｄｅＢに信号通知している。ＵＰＨフィールドは、最大ＵＥ送信電力とそれに対応するＤＰＣＣＨ符号電力との比を示す。この信号通知によってＤＰＣＣＨ電力レベルの情報が与えられ、関連するβ因子がわかることで、全電力の情報が得られる。欠点は、電力依存トリガ機構が定められないこと、電力消費が原因で周期的信号通知が現実的ではなくなること、ＵＥがその電力状況をＮｏｄｅＢにいつ通知するか決定できないことである。加えて、現行の方法（システムポーリングまたは周期的信号通知）では、従来、時間の分解能が数ＴＴＩ程度であり、最適というにはあまりにも長い。
【発明の概要】
【００１２】
したがって、本発明における課題は、アップリンクチャネルおよびダウンリンクチャネル上の無線インタフェースを通して１または２以上のユーザ装置と通信する通信ネットワークノードを含む通信ネットワークにおいて無線資源を効率よく活用できるようにする、改良された方法を提供することである。
【００１３】
本発明の第１の観点によれば、請求項１の特徴部分で限定するような方法によって上記課題は解決される。前記アップリンクチャネルにおける所定のフィールドを用いて、ユーザ装置における電力不足問題の情報を前記通信ネットワークノードに提供し、前記通信ネットワークノードが、使用可能な無線資源に関する所定の行動をとることが可能となることにより、通信ネットワークにおいて無線資源を効率よく活用できるようになる、ということが請求項１に記載されている。
【００１４】
本発明の別の課題は、アップリンクチャネルおよびダウンリンクチャネル上の無線インタフェースを通して１または２以上のユーザ装置と通信する通信ネットワークノードを備える通信ネットワークにおける無線資源を効率よく活用できるようにする、改善された構成を提供することである。
【００１５】
本発明の第２の観点によれば、請求項１１の特徴部分で限定するような構成によって上記別の課題は解決される。前記アップリンクチャネルにおける所定のフィールドを用いて、ユーザ装置における電力不足問題の情報を前記通信ネットワークノードに提供し、前記通信ネットワークノードが、使用可能な無線資源に関する所定の行動をとることが可能となることにより、通信ネットワークにおいて無線資源を効率よく活用できるようになる、ということが請求項１１に記載されている。
【００１６】
従属請求項において、さらなる実施形態を挙げる。
【００１７】
電力不足問題の報告にＥ‐ＴＦＣＩフィールドを用いる方法および構成が提供されるおかげで、何かがよくないということに対して、非常にはやい応答が達成される。新たな信号通知フィールドは必要なく、この解決手段には追加スペースがかからない。全部のビットがそのように用いられるわけではないが、他の情報のためにスペースが残されており、問題のある状況でのみ用いられる。
【００１８】
なお、本発明の他の目的および特徴は、添付図面と併せて考察する以下の発明を実施するための形態から明らかとなるであろう。しかしながら、図面は例示のみを目的としてデザインしたものであり、本発明の限定としてデザインしたものではなく、参照については添付の特許請求の範囲に対して行うべきである、ということを理解されたい。さらに、図面は必ずしも寸法どおりに描いたものではなく、また、寸法が示してあるとしても、ここで説明する構造および手順を単に概念的に示すことを意図したものである、ということも理解されたい。
【００１９】
図面において、数図にわたり同じ参照符号が指し示すものは、同様の構成要素である。
【図面の簡単な説明】
【００２０】
【図１】図１は、本発明に係る通信ネットワークアーキテクチャを示す。
【図２】図２は、通信ネットワークの電力制御機構を示すブロック図である。
【図３ａ】図３ａは、一般的Ｅ‐ＴＦＣＩフィールド（７ビット）を示す。
【図３ｂ】図３ｂは、本発明の好ましい一実施形態に係る一般的Ｅ‐ＴＦＣＩフィールドを示す。
【図３ｃ】図３ｃは、本発明の好ましい別の実施形態に係る一般的Ｅ‐ＴＦＣＩフィールドを示す。
【図４】図４は、ユーザ装置がそのカバーエリアを拡大する本発明に係る方法をどのように使用するかを説明する。
【図５】図５は、本発明に係る構成を備えるユーザ装置のブロック図である。
【図６】図６は、ユーザ装置において行われる本発明に係る手順ステップに関するフローチャートである。
【発明を実施するための形態】
【００２１】
図１が示すのは、広帯域符号分割多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）などの通信システムである。当該通信システムは、ＵＭＴＳ地上波無線アクセスネットワーク（ＵＴＲＡＮ：ＵＭＴＳ  Ｔｅｒｒｅｓｔｒｉａｌ  Ｒａｄｉｏ  Ａｃｃｅｓｓ  Ｎｅｔｗｏｒｋ）などの無線アクセスネットワーク（ＲＡＮ：Ｒａｄｉｏ  Ａｃｃｅｓｓ  Ｎｅｔｗｏｒｋ）アーキテクチャを備える。当該無線アクセスネットワークアーキテクチャは、いくつかある無線ネットワーク制御装置（ＲＮＣ）１０のうちの１つに接続された少なくとも１つの無線基地局（ＲＢＳ：Ｒａｄｉｏ  Ｂａｓｅ  Ｓｔａｔｉｏｎ）（またはＮｏｄｅＢもしくはｅＮｏｄｅＢ）１５ａ〜ｃを備える。ＲＡＮは、ｌｕインタフェースなどのインタフェース１３を通して、コアネットワーク（ＣＮ：ｃｏｒｅ  ｎｅｔｗｏｒｋ）１２へ接続されている。当該ＣＮは、公共交換電話ネットワーク（ＰＳＴＮ：Ｐｕｂｌｉｃ  Ｓｗｉｔｃｈｅｄ  Ｔｅｌｅｐｈｏｎｅ  Ｎｅｔｗｏｒｋ）などの接続指向の外部ＣＮ、および／またはインターネットなどのコネクションレスの外部ＣＮとすることができる。
【００２２】
ＲＡＮおよびＣＮ１２は、複数のユーザ装置（ＵＥ）１８（図１では１つだけ示す）に対して通信および制御を与えるものである。ＵＥ１８は、それぞれダウンリンク（ＤＬ：ｄｏｗｎｌｉｎｋ）チャネル１６（すなわち基地→ユーザあるいはフォワード）およびアップリンク（ＵＬ）チャネル１７（すなわちユーザ→基地あるいはリバース）を使用し、無線インタフェース、すなわち電波インタフェースを通して少なくとも１つのＲＢＳ１５と通信する。ＲＢＳ１５ａ〜ｃは、それぞれ、ＵＥ１８が位置するか、あるいは通り過ぎるかする少なくとも１つのセル１９においてサービスを行う。
【００２３】
本発明の好ましい実施形態によって、ここでは通信システムをＷＣＤＭＡ通信システムとして説明を行う。しかしながら、当業者であれば、本発明に係る方法および構成が、符号分割多重アクセス（ＣＤＭＡ）や３ＧＬＴＥ（Ｌｏｎｇ  Ｔｅｒｍ  Ｅｖｏｌｕｔｉｏｏｎ：長期発展型）システムなど、全ての通信システムに対して非常によくはたらくものであるということがわかるであろう。ユーザ装置１８は、携帯電話（「セルラ」電話）、移動体端末を有するノート型パソコンなどの移動局とすることができるものであり、したがって、例えば、ＲＡＮで音声および／またはデータの通信を行うポータブル移動体装置やポケット移動体装置、ハンドヘルド移動体装置、コンピュータ内臓型移動体装置、車両搭載型移動体装置などとすることも可能である。
【００２４】
図２は、ＲＢＳ１５に位置する内側ループ電力制御部（ＩＬＰＣ：ｉｎｎｅｒ  ｌｏｏｐ  ｐｏｗｅｒ  ｃｏｎｔｒｏｌ）２３とＲＮＣ１０またはＲＢＳ１５のどちらかに位置する外側ループ電力制御部（ＯＬＰＣ）２１との２つの部分からなる電力制御機構を示す。内側ループは高速であり、高速フェーディングを対処するためユーザ装置送信電力を毎秒１５００回更新するものである。かかる更新処理は、受信した信号対干渉比（ＳＩＲ）を測定し、測定したＳＩＲを目標ＳＩＲと比較し、ユーザ装置１８へ電力制御命令を送信することで行う。受信したＳＩＲが目標ＳＩＲを下回る場合には、ユーザ装置１８に送信電力を増加させ、受信したＳＩＲが目標を上回る場合には、逆とする。内側ループ電力制御部はＤＰＣＣＨで動作する。Ｅ‐ＤＰＤＣＨの送信電力は、ＤＰＣＣＨに対して設定され、Ｅ‐ＤＰＤＣＨ上の瞬間データレートに依存する。
【００２５】
外側ループは、内側ループに対する目標ＳＩＲを設定するものであり、そのために、使用可能な統計２７を用いる。外側ループは内側ループよりも相当遅く、無線条件の変化を遅くして、必要なサービス品質に目標ＳＩＲを合わせるものとされる。
【００２６】
アップリンク方向では、図２に示すように、各ＵＥ１８からのいくつかのチャネルが拡張アップリンクで送信されるであろう。図２には図示していないが、専用物理制御チャネル（ＤＰＣＣＨ）が、パイロットシンボルと帯域外制御信号の部分とを搬送する。拡張アップリンクについて残りの帯域外制御信号は、拡張専用物理制御チャネル（Ｅ‐ＤＰＣＣＨ）２５で搬送を行い、拡張専用物理データチャネル（Ｅ‐ＤＰＤＣＨ）２４は、拡張アップリンクの特徴を用いて送信されたデータを搬送する。
【００２７】
本発明については、ＵＥが電力不足の状況をシステムに通知し、ＯＬＰＣが目標ＳＩＲをあまりにも急に／大きく増加させるのをシステムが防止するというのが基本である。ＵＥが既存のＥ‐ＴＦＣＩフィールド（Ｅ‐ＤＰＣＣＨチャネルにおけるもの、７ビット）を拡張して使用するか、または再利用することを提案する。
【００２８】
さて、Ｅ‐ＤＰＣＣＨ２５のＥ‐ＴＦＣＩフィールドは、各送信試行で送信されたＥ‐ＴＦＣの情報を含んでいる。再送のためにＥ‐ＴＦＣを変更することはできないので、Ｅ‐ＴＦＣＩも変更されない。送信は再送であるとＲＢＳが検出する際には、ＲＢＳにとってＥ‐ＴＦＣＩは既知のものであろう。つまり、Ｅ‐ＴＦＣＩフィールドは再送に対しては重要度が低いのである。したがって、Ｅ‐ＴＦＣＩフィールドは、例えば、必要に応じて「ヘルシ情報タグ（ＨＩＴ：Ｈｅａｌｔｈｙ  Ｉｎｆｏｒｍａｔｉｏｎ  Ｔａｇ）」を送信するなど、何かもっと関連性のあることに使用すべきである。ＨＩＴ機能をサポートするには、３ＧＰＰ規格の変更が必要となるため、この機能は適合したＵＥでしかサポートできない。
【００２９】
図３ａに見られるように、Ｅ‐ＴＦＣＩフィールドは７ビット含んでいる。７ビットは、図３ａにおいては３１と示しており、その組合せは１２８通りある。伝送フォーマットテーブルでは、この組合せのうち、（１つを除き）全てがＥ‐ＴＦＣに対応している。このフィールドに加えて、各送信では３ビット再送シーケンス番号（ＲＳＮ：ｒｅｔｒａｎｓｍｉｓｓｉｏｎ  ｓｅｑｕｅｎｃｅ  ｎｕｍｂｅｒ）も送信されるため、データをどのように復号すべきかＲＢＳにわかる。すなわち、データを他の送信試行によるデータとソフト結合させるべきである場合、第１送信（図３ａ）におけるＲＳＮは０に等しく、５以上の送信を用いる場合には、ＲＳＮパターン３は反復される。
【００３０】
電力不足の情報をシステムに与えるのは、いくつかのやり方で行うことができるのだが、システムがどのように対応すべきであるかということについて、それぞれが必要とする自由度は異なる。システムは、電力不足状況の情報を得ると、ＯＬＰＣを停止させることもあれば、目標ＳＩＲを僅かに（またはあるレベルまで）増加させるだけであることもある。
【００３１】
いくつの送信試行が用いられたかの情報を信号通知するとともに、ＯＬＰＣがＲＮＣ１０に位置する場合には電力不足情報をＯＬＰＣへ送信することができる。対応の信号通知に対するサポートも追加する必要がある。この内容は、ＲＢＳに位置するＯＬＰＣにも適用可能である。
【００３２】
電力不足がどのように報告され、また、対応する情報がどのように活用されるのかについて、以下に例を３つ説明する。
【００３３】
Ａ）
本発明の第１の好ましい実施形態によれば、１つの固有パターンのみを用いて、電力不足を信号通知するのが、簡単な解決手段である。用いたＥ‐ＴＦＣテーブルに応じて、すなわちテーブル０かテーブル１かに応じて、この目的に用いることができる未使用のＥ‐ＴＦＣＩ位置がある。この手法であれば、かかる信号通知は再送にしか使用されないことになる（なぜなら最初の送信を行うまで本当に電力不足であったことはＵＥにおいてわからない）ため、どのＥ‐ＴＦＣフォーマットが用いられたのかＲＢＳが検出するのに何ら問題はない。
【００３４】
しかしながら、目標送信試行について、ＵＥにおける推定、またはシステムからの信号通知が可能である場合、ＵＥが送信を目標数行うまで、電力不足の信号通知は行われるべきではない。その理由は、ＵＥがソフトハンドオーバである場合に、基地局の１つによるＥ‐ＲＦＣＩの検出は最初の送信では行われず、後の送信で達成可能であるためである。電力不足状況は、目標数以上の送信が必要な場合にのみ、システムにとって重要なものとなる。
【００３５】
電力不足については、例えば、使用スロットのＸ％はデータチャネルの減少（すなわちβｅｄ減少）がＹｄＢよりも大きい、というように定める。
【００３６】
Ｂ）
本発明の第２の好ましい実施形態については、全Ｅ‐ＴＦＣＩフィールドを用いて、ＵＥ電力不足の存在を信号通知する、もう少し複雑な方法を説明する。この場合は、電力不足状況を識別する際に、現行のＥ‐ＴＦＣＩパターンから離れることが重要である。
【００３７】
例えば、かかる方法については、最上位ビット（ＭＳＢ：Ｍｏｓｔ  Ｓｉｇｎｉｆｉｃａｎｔ  Ｂｉｔ）をトグルし、残りの６ビットを用いて電力不足のレベルを示すことにより、行うことができる。このようにすると、電力不足を数量化する精度として６４のレベルが得られる。このことについて図３ｂで説明する。図３ｂでは、ＲＳＮ＞０におけるＥ‐ＴＦＣＩを示しており、トグルビット（ｘビット）は３２と示し、電力不足の情報を与えるものであるＵＥ電力状態（７−ｘビット）は３３と示してある。
【００３８】
電力不足とは、ある任意のＨＡＲＺ処理における送信スロットの平均スロット圧縮として定義することができる。これにより、電力不足がいかに深刻であるかシステムにおいてわかることとなり、どう対応すべきかについて、よりよい選択をすることができよう。
【００３９】
対応する信号通知については、Ａ）において説明したものと同様である（以下図６でも説明する）。
【００４０】
Ｃ）
内部測定および計算か、またはシステムからの信号通知か、いずれかによってシステム目標ＴＡが何であるかＵＥにおいてわかるとすれば、Ｂに記載の電力不足報告手順が拡張され、ＵＥにおいて、Ｅ‐ＴＦＣ選択を行うことにより元のＴＡよりも多くの送信試行を用いると決定することができるようになり、追加送信数が考慮に入れられるということは言うまでもないことである。そうすると、電力不足報告に用いる６ビット（上述、図３ｂに図示）は２つの組に分けられる。例えば、第１の２ビットを用いて、いくつの追加送信をＵＥが用いる計画であるかを報告し、残りの４ビットを用いて、電力不足の度合いを信号通知するものとしてもよい。追加送信の使用については、最低Ｅ‐ＴＦＣフォーマットにのみ用いるのが好ましかろう。このことについて図３ｃで説明する。図３ｃでは、ＲＳＮ＞０におけるＥ‐ＴＦＣＩを示しており、トグルビット（ｘビット）は３２と示し、ＴＡ情報（ｙビット）は３４と示し、ＵＥ電力状態（７−ｘ−ｙビット）は３３と示してある。
【００４１】
例えば、失敗した１つの送信試行を目標とするＵＥが、追加ＴＡを用いる（この例では１つの追加送信）と伝送ブロックが正しく受信されるであろうと推測する。その後、ＵＥは再送を行い、平行して、今度は１つの追加送信である当該目標と、対応する電力減少比（または同様）とを信号通知する。
【００４２】
Ｂにおける方法から、システムは、信号通知された平均スロット圧縮情報を用いて、再送をいくつ余分に必要とすべきだったか（ＣにおいてＵＥが送信する情報である）を推論することが可能である。この情報をＯＬＰＣで用いて、望ましくないアップステップを回避するようにトリガ機構を調節することができる。
【００４３】
図４で説明するが、ＵＥが本発明の方法の方法を用いて、そのカバーエリアを拡大することもできる。図４において、４１は目標ＴＡを追っているカバーエリアを示し、４２は上述のＣの場合にしたがったカバーエリアを示しており、ＵＥは目標ＴＡを用いてカバーエリアを拡大する。ＵＥ１８は、電力不足を評価し、ＲＢＳ１５へ信号通知する。ＲＢＳは、ＯＬＰＣが位置することができるＲＮＣへ電力不足情報を転送する。なお、ＯＬＰＣはＲＢＳにも位置することが可能である。本発明により、ＵＥ１８が修正Ｅ‐ＴＦＣＩフィールドを用いて、その電力状況をシステムに認知させると、例えばＲＮＣにあるＯＬＰＣは、電力情報にしたがって、目標ＳＩＲをさらに増加させないと決めることができる。なぜなら、電力が制限されたＵＥはほとんど利用することができないからである。例えば、ＲＢＳに位置するスケジューラが、電力不足情報を用いて行動をとり、無線資源をさらに活用／最適化することも可能である。カバーエリアを広げるために、ＵＥはＴＡ情報を含む修正Ｅ‐ＴＦＣＩフィールドを用いて、追加送信（ＲＮＣが設定した目標送信数を超過）がＵＥの戦略にしたがっているということと、ＯＬＰＣは目標ＳＩＲを増加させるべきではないということとを、ＯＬＰＣに通知することができる。これは、より小さな／最小のＥ‐ＲＦＣＩフォーマットにのみ用いるべきである。
【００４４】
用いている修正Ｅ‐ＴＦＣＩフィールドによるＵＥ電力不測表示／フィードバックによって、望ましくない目標ＳＩＲ挙動を回避する一般的な方法は、Ｒ９９のようなシステムにも適用可能である。このような特別な場合には、かかる意味をもつＴＦＣＩ値をシステムに特定させることが必要となることもある。
【００４５】
図５は、本発明に係る構成５３を設けたユーザ装置１８を示すブロック図である。構成５３は、アップリンクチャネル１７上の無線インタフェースを通してデータを送信する無線送信部５１と、ダウンリンクチャネル１６上でデータを受信する受信部５２とを備える。構成５３は、５５と図示してある電力不足状況を検出する手段をさらに備えており、無線送信部５１は、アップリンクチャネル１７の所定のフィールドを用いて、ユーザ装置１８における電力不足問題の情報を送信し、通信ネットワークノード（ＲＮＣまたはＲＢＳ）は、使用可能な無線資源について所定の行動をとることが可能となる。
【００４６】
構成５３は、ユーザ装置１８における電力不足問題を信号通知する所定のフィールド（Ｅ‐ＴＦＣＩ）を変更する手段５６と、目標送信試行を予測する手段５７とをさらに備えており、電力不足問題を信号通知する所定のフィールドを変更する手段５６は、推定送信数が送信されたら、上記変更を行う。目標送信試行を予測する手段５７は、目標送信試行を推定するか、あるいはネットワークから目標送信試行を得る。所定のフィールドを変更する手段５６が、所定のフィールドで最上位ビット（ＭＳＢ）をトグルすること、所定数のビットを用いてユーザ装置１８が追加送信をいくつ使用つもりか報告すること、および／または残りのビットを用いて電力不足のレベルを示すことについては、任意である。図５は単に説明のためのブロック図であり、ユーザ装置１８における様々な機能を例示しただけのものである。
【００４７】
図６に示した好適な実施形態によって、ユーザ装置が通信ネットワークにおいて無線資源を効率良く活用する手順は以下のとおりである。
１）ユーザ装置からネットワークシステムへＥ‐ＤＰＤＣＨでデータパケットを送信する（ステップ６１）。
２）ユーザ装置における電力不足問題を検出する。
３）ネットワークシステムに電力不足問題を信号通知するためにＥ‐ＤＰＣＣＨのＥ‐ＴＦＣＩフィールドを変更する（ステップ６２）。
４）変更したＥ‐ＴＦＣＩフィールドを含む変更データパケットをＥ‐ＤＰＤＣＣＨで再送する（ステップ６３）。
５）５．適宜、追加送信試行を何回行う必要があるか予測し（ステップ６４）、再送を目標回数行ったら、Ｅ‐ＴＦＣＩフィールドを変更し（ステップ６２）、Ｅ‐ＴＦＣＩフィールドを含むデータパケットを再送する（ステップ６３）。
【００４８】
理解を容易にするために、例えばプログラム可能コンピュータシステムのエレメントがとる行動のシーケンスについて、本発明の多くの観点を説明した。専門回路（例えば専門機能を行うために相互接続された離散論理ゲート、または特定用途向け集積回路）によって、１または２以上のプロセッサが実行するプログラム命令によって、またはその両方の組合せによって様々な行動がとられる、ということが認識されるであろう。
【００４９】
さらに、本発明は、コンピュータベースのシステム、プロセッサ含有システム、または媒体から命令をフェッチして実行可能な他のシステムのような命令実行システムまたは装置が使用するまたは関連する命令の適当な組を格納したコンピュータ読出可能格納媒体のいかなる形態の内で全体的に実施されると追加的に考えることもできる。ここで用いるように、「コンピュータ読出可能媒体（ｃｏｍｐｕｔｅｒ‐ｒｅａｄａｂｌｅ  ｍｅｄｉｕｍ）」は、命令実行システムまたは装置が使用するまたは関連するプログラムを含有、格納、通信、伝搬または伝送可能ないかなる手段であってもよい。コンピュータ読出可能媒体は、例えば電気、磁気、光、電磁気、赤外線または半導体システム、装置または伝搬媒体であってもよいが、これらに限定されるものではない。コンピュータ読出可能媒体のさらに特別な例（限定的リスト）には、１または２以上のワイヤを有する電気的接続と、ポータブルコンピュータディスクと、ランダムアクセスメモリ（ＲＡＭ：ｒａｎｄｏｍ  ａｃｃｅｓｓ  ｍｅｍｏｒｙ）と、読出専用メモリ（ＲＯＭ：ｒｅａｄ  ｏｎｌｙ  ｍｅｍｏｒｙ）と、消去可能プログラム可能読出専用メモリ（ＥＰＲＯＭ：ｅｒａｓａｂｌｅ  ｐｒｏｇｒａｍｍａｂｌｅ  ｒｅａｄ  ｏｎｌｙ  ｍｅｍｏｒｙまたはフラッシュメモリ）と、光ファイバと、ポータブルコンパクトディスク読出専用メモリ（ＣＤ‐ＲＯＭ：ｃｏｍｐａｃｔ  ｄｉｓｃ  ｒｅａｄ  ｏｎｌｙ  ｍｅｍｏｒｙ）と、ユニバーサルシリアルバス（ＵＳＢ：ｕｎｉｖｅｒｓａｌ  ｓｉｒｉａｌ  ｂｕｓ）メモリとが含まれる
【００５０】
以上説明した本発明の実施形態については、添付の特許請求の範囲において限定する本発明の範囲から逸脱せずに修正をすることが可能である。
【００５１】
「ｉｎｃｌｕｄｉｎｇ（含む／備える）」、「ｃｏｍｐｒｉｓｉｎｇ（含む／備える）」、「ｉｎｃｏｒｐｏｒａｔｉｎｇ（組み入れる）」、「ｃｏｎｓｉｓｔｉｎｇ  ｏｆ（からなる）」、「ｈａｖｅ（有する）」、「ｉｓ（である）」のような表現で本発明を説明し、請求しているのだが、非排他的に解釈されるということを意図しており、つまりは、明示的には説明していないアイテム、コンポーネントまたはエレメントも存在が許されるのである。単数形の言及は複数形に関するとして解釈し、逆もまた然りである。
【００５２】
添付の特許請求の範囲における括弧内に含まれる番号は特許請求の範囲の理解を助けるように意図され、この特許請求の範囲によって請求するサブジェクトマターを限定するようには如何様にも解釈されるべきものではない。
【図１】
2010532625.tif 000003
【図２】
2010532625.tif 000004
【図３ａ】
2010532625.tif 000005
【図３ｂ】
2010532625.tif 000006
【図３ｃ】
2010532625.tif 000007
【図４】
2010532625.tif 000008
【図５】
2010532625.tif 000009
【図６】
2010532625.tif 000010
【手続補正書】
【提出日】平成22年1月5日(2010.1.5)
【手続補正１】
【補正対象書類名】特許請求の範囲
【補正対象項目名】全文
【補正方法】変更
【補正の内容】
【特許請求の範囲】
【請求項１】
アップリンクチャネル（１７、２４、２５）およびダウンリンクチャネル（１６）上の無線インタフェースを通して１または２以上のユーザ装置（１８）と通信する通信ネットワークノード（１０；１５）を備える通信ネットワークシステムにおいて無線資源を効率よく活用可能にする方法であって、
再送中、前記アップリンクチャネルにおける所定のフィールドを用いて、ユーザ装置における電力不足問題の情報を前記通信ネットワークノードに提供するステップを含み、前記通信ネットワークノードが、使用可能な無線資源に関する所定の行動をとることが可能となることを特徴とする方法。
【請求項２】
前記通信ネットワークノードへデータを送信するステップと、
前記ユーザ装置における電力不足状況を検出するステップと、
電力不足問題を信号通知する前記所定のフィールドを変更するステップと、
前記データを再送するステップであって、前記再送は変更した前記所定のフィールドを含むステップと
をさらに含むことを特徴とする、請求項１に記載の方法。
【請求項３】
前記電力不足問題は、前記所定のフィールド上で固有のパターンを用いて信号通知されることを特徴とする、請求項２に記載の方法。
【請求項４】
目標送信試行を予測するステップと、
推定送信数が送信されたら、電力不足問題を信号通知する前記所定のフィールドを変更するステップと、
前記データを再送するステップであって、前記再送は変更した前記所定のフィールドを含むステップと
をさらに含むことを特徴とする、請求項２に記載の方法。
【請求項５】
前記電力不足問題は、前記所定のフィールドのすべてを用いて信号通知されることを特徴とする、請求項２に記載の方法。
【請求項６】
前記所定のフィールドは、拡張専用物理制御チャネル（Ｅ‐ＤＰＣＣＨ）の拡張専用チャネル伝送フォーマット結合インジケータ（Ｅ‐ＴＦＣＩ）であることを特徴とする、請求項１〜５のいずれか１項に記載の方法。
【請求項７】
前記拡張専用チャネル伝送フォーマット結合インジケータフィールドは、送信された前記データの復号の仕方に関する情報を前記通信ネットワークに与えるために、再送シーケンス番号（ＲＳＮ）をさらに含むことを特徴とする、請求項６に記載の方法。
【請求項８】
アップリンクチャネル（１７、２４、２５）およびダウンリンクチャネル（１６）上の無線インタフェースを通して１または２以上のユーザ装置（１８）と通信する通信ネットワークノード（１０；１５）を備える通信ネットワークシステムにおいて無線資源を効率よく活用可能にする構成であって、
再送中、前記アップリンクチャネル（１７、２４、２５）における所定のフィールドを用いて、ユーザ装置における電力不足問題の情報を前記通信ネットワークノードに提供する手段（５１、５５、５６）を備え、
前記通信ネットワークノードが、使用可能な無線資源に関する所定の行動をとることが可能となるステップを含むことを特徴とする構成（５３）。
【請求項９】
前記通信ネットワークノード（１０；１５）へデータを送信する手段（５１）と、
前記ユーザ装置（１８）における電力不足状況を検出する手段（５５）と、
電力不足問題を信号通知する前記所定のフィールドを変更する手段（５７）と、
前記データを再送する手段（５１）であって、前記再送は変更した前記所定のフィールドを含む手段（５１）と
をさらに備えることを特徴とする、請求項８に記載の構成（５３）。
【請求項１０】
前記所定のフィールド上で固有のパターンを用いて、前記電力不足問題を信号通知することを特徴とする、請求項９に記載の構成（５３）。
【請求項１１】
目標送信試行を予測する手段（５７）と、
推定送信数が送信されたら、電力不足問題を信号通知する前記所定のフィールドを変更する手段（５６）と、
前記データを再送する手段（５１）であって、前記再送は変更した前記所定のフィールドを含む手段（５１）と
をさらに備えることを特徴とする、請求項９に記載の構成（５３）。
【請求項１２】
前記所定のフィールドのすべてを用いて、前記電力不足問題を信号通知することを特徴とする、請求項９に記載の構成（５３）。
【請求項１３】
前記所定のフィールドは、拡張専用物理制御チャネル（Ｅ‐ＤＰＣＣＨ）（２５）の拡張専用チャネル伝送フォーマット結合インジケータ（Ｅ‐ＴＦＣＩ）であることを特徴とする、請求項８〜１２のいずれか１項に記載の構成（５３）。
【請求項１４】
前記拡張専用チャネル伝送フォーマット結合インジケータフィールドは、送信された前記データの復号の仕方に関する情報を前記通信ネットワークノード（１０；１５）に与えるために、再送シーケンス番号（ＲＳＮ）をさらに含むことを特徴とする、請求項１３に記載の構成（５３）。
【請求項１５】
請求項８〜１４のいずれか１項に記載の構成を備えることを特徴とするユーザ装置。
【国際調査報告】
2010532625.tif 000011
2010532625.tif 000012
2010532625.tif 000013